【手続補正書】
【提出日】平成19年4月27日(2007.4.27)
【手続補正１】
【補正対象書類名】明細書
【補正対象項目名】特許請求の範囲
【補正方法】変更
【補正の内容】
【特許請求の範囲】
【請求項１】
かん合構造を有する蓋を装備した化粧料用の容器であって、蓋を開けるとき及び/又は
閉めるときの音において、周波数の分布が、当該音を採取して、高速フーリエ変換し、周波数分布に表した場合において、周波数分布の中心部が３５００Hz以下の、低い帯域に分布していることを特徴とする、化粧料用の容器
【請求項２】
かん合構造を有する蓋を装備した化粧料用の容器であって、蓋を開けるとき及び/又は
閉めるときの音において、周波数の分布におけるピークが連峰型であること、すなわち、当該音を採取して、高速フーリエ変換し、周波数分布に表した場合において、マルチプルピーク型を取ることを特徴とする、化粧料用の容器
【請求項３】
かん合構造を有する蓋を装備した化粧料用の容器であって、蓋を開けるとき及び/又は
閉めるときの音において、波形解析で本振動前の波が小さいこと、すなわち、波形解析において、ベースラインの揺らぎの平均振幅の３倍以上の振幅の波或いは存在する波の最大振幅の２％以上の振幅の波が、本振動前の位置に存在することを特徴とする、化粧料用の容器。
【請求項４】
かん合構造を有する蓋を装備した化粧料用の容器であって、蓋を開けるとき及び／又は閉めるときの音において、次に挙げる３条件を全て満足することを特徴とする、請求項１〜３何れか１項に記載の化粧料用の容器。１）周波数の分布が低い帯域に分布している。２）周波数の分布におけるピークが連峰型である。３）波形解析で本振動前の波が小さい。
【請求項５】
請求項１〜４何れか１項に記載の化粧料用の容器に化粧料組成物を充填してなる、化粧料。
【請求項６】
メークアップ化粧料であることを特徴とする、請求項５に記載の化粧料。
【請求項７】
かん合構造を有する蓋を装備した化粧料用の容器の評価法であって、前記蓋を開けるとき及び／又は閉めるときの音を指標とする、化粧料用の容器の評価法。
【請求項８】
指標としての音が、周波数分布及び／又は波形によって分析されることを特徴とする、
請求項７に記載の化粧料用の容器の評価法。
【請求項９】
かん合構造を有する蓋を装備した化粧料用の容器の評価法であって、前記蓋を開けるとき及び／又は閉めるときの音の周波数分布と波形とを指標とする請求項７又は８に記載の化粧料用の容器の評価法。
【請求項１０】
音の周波数分布と波形とを次の３つの基準により評価することを特徴とする請求項９に記載の化粧料用の容器の評価法。１）周波数の分布が低い帯域に分布しているか高い帯域に分布しているか。２）周波数の分布におけるピークが連峰型であるか単一峰型であるか。３）波形解析で本振動前の波が小さいか大きいか。
【手続補正２】
【補正対象書類名】明細書
【補正対象項目名】０００３
【補正方法】変更
【補正の内容】
【０００３】
この様な化粧料がもたらす五感への刺激の内、香りとしての嗅覚的刺激、容器の見た目の形状や組成物の色としての視覚的刺激、容器の手触り、内容物を塗布するときの使用感としての触覚的刺激は検討が多く為されているが、味覚的刺激と聴覚的刺激については、化粧料の設計上何も為されていないのが現状であると言わざるを得ない。この様な感覚を使用者にとって好ましく刺激する化粧料の開発は望まれているものの、どの様な刺激が好ましい刺激であるか全く知られていないため、具現化されていない。
【手続補正３】
【補正対象書類名】明細書
【補正対象項目名】０００７
【補正方法】変更
【補正の内容】
【０００７】
【発明の実施の形態】
（１）本発明の化粧料の特徴である聴覚的刺激と本発明の化粧料用の容器本発明の化粧料は、聴覚的刺激として、容器における、かん合構造を有する蓋をあけるとき及び／又は閉めるときにでる音がコントロールされていることを特徴とする。ここに言うコントロールとは、次に示す３つのポイントについてのコントロールである。その３つのポイントとは、１）「周波数の分布が低い帯域に分布している。」２）「周波数の分布におけるピークが連峰型である。」３）「波形解析で本振動前の波が小さい。」の３点である。ここで、「周波数の分布が低い帯域に分布している。」とは後記実施例に示す如く、容器における、かん合構造を有する蓋をあけるとき及び／又は閉めるときにでる音を採取して、高速フーリエ変換し、周波数分布に表した場合において、周波数分布の中心部（ピークの内最も高いものの存在周波数又は分布のピークの９０％が収まる範囲の中心部の周波数の内の高い方）が３５００Hz以下、更に好ましくは、３０００Hz以下にあることを意味し、「周波数の分布が高い帯域に分布している。」とは、前記周波数分布の中心部が３０００Hzより大きい位置、更に好ましくは３５００Hzより大きい位置に位置していることを意味する。又、「周波数の分布におけるピークが連峰型である。」とは、一般的な音のピークの出方は、マルチプルピーク型とシングルピーク型の２種類存在すると言われているが、前記の如く、かん合構造を有する蓋をあけるとき及び／又は閉めるときにでる音を採取して、高速フーリエ変換し、周波数分布に表した場合において、マルチプルピーク型を取ることを意味する。具体的には、前記高速フーリエ変換を行って周波数分布に表した場合、最大ピーク高さの５０％の位置で水平に線を引いた場合に於いて、この線と交わるピークが少な
くとも４本存在するか、最大ピークのピーク面積が全ピーク面積の５０％以下であることを意味する。これにあたらない場合がシングルピーク型、本発明で言う単一峰型ピークであるといえる。更に加えて、「波形解析で本振動前の波が小さい。」とは波形解析において、最大振幅の前にベースラインから識別できる本振動前の位置に存在することを意味する。ベースラインから識別できるとは、ベースラインの揺らぎの平均振幅の３倍以上の振幅の波或いは存在する波の最大振幅の２％以上の振幅の波が、本振動の前の位置に存在することを意味する。これらの３つの要素は化粧料の効果の向上に好ましい、かん合構造を有する蓋をあけるとき及び／又は閉めるときにでる音を形成する為の独立した３つの要因であり、これらの３つの条件を全て満たした音の状況が、化粧料の効果を最も高める聴覚的な刺激であるといえる。これら３つの条件を１つ満足するものは、全て満たさないものよりも好ましい聴覚的刺激を有し、２つ満たすものは唯一種満たすものよりも好ましい聴覚的刺激を提供するものである。この様な好ましい聴覚的刺激が蓋を開けるときに存在することにより、気持ちがポジティブになり、化粧動作が安定し、化粧乗りや化粧映えが向上し、化粧持ちが向上する効果を創出するし、蓋を閉じたときにこの様な聴覚的な刺激が存在することにより、次の行動への積極性の喚起がなされ、次なる行動の効率や正確性の向上をも誘起する。この様な効果は、化粧料そのものが持っている、気持ちをポジティブにする作用を更に高めることができ、人間行動をも改善させることができる。この様な効果が、特に期待できるのは、ファンデーションなどのメークアップ化粧料である。これは、化粧仕上がりや化粧映えなどのメークアップの出来が、メークアップを行う人間の心理的なバックグラウンドの影響を受けやすい為である。従って、本発明のかかる技術は、メークアップ化粧料に適用されることが特に好ましい。本発明の化粧料用の容器は、この様な好ましい聴覚的刺激を有するものである。この様な好ましい聴覚的な刺激を有する容器を設計するためには、次のような点に留意して設計を行えばよい。即ち、１）容器の横幅をできうる限り長くすること。２）容器のかん合部の蓋の構成が、上、下それぞれ一つの部品のみで構成されるのではなく、二つ以上の部品で構成されていること。３）フック部の形状と材質の組み合わせにおいて、過剰な摩擦が生じないこと。の３点である。これらの指針を元に音の特性を試行錯誤して調整することにより本発明の化粧料用の容器は製造できる。